(57)【要約】  互いに対して近接するケーブル内の同様のツイストペア間の外来漏話、および／または、ケーブルのツイストペア間の漏話の減少をもたらすケーブル。一例においては、ケーブルは、第１の絶縁導体のツイストペアと、第２の絶縁導体のツイストペアと、第１のツイストペアを第２のツイストペアから分離するよう位置決めされる成形セパレータと、第１および第２のツイストペアならびにセパレータを中心として配置されるジャケットとを含み、成形セパレータは、中心アームと、中心アームの第１端部に配置される少なくとも１つの拡大部分とを含む。
2009518816.tif 000002
【特許請求の範囲】
【請求項１】
第１の絶縁導体のツイストペアと、
第２の絶縁導体のツイストペアと、
第１のツイストペアを第２のツイストペアから分離するよう位置決めされるセパレータと、
第１および第２のツイストペアならびにセパレータを中心として配置されるジャケットとを含み、
セパレータは、中心アームと中心アームの一端に位置決めされて、ジャケットの外向き突出部を形成するように第１の絶縁導体のツイストペアの周りに少なくとも部分的に位置決めされる、少なくとも１つの拡大部分とを含む、ケーブル。
【請求項２】
第１および第２の絶縁導体のツイストペアならびにセパレータは、ケーブルのコアを含み、ジャケットは、ジャケットの内周表面から遠ざかって延在する複数の突起を設けられ、複数の突起は、コアを、ジャケットの内周表面から離れたままにさせるよう構成される、請求項１に記載のケーブル。
【請求項３】
第３の絶縁導体のツイストペアと、
第４の絶縁導体のツイストペアとをさらに含み、
セパレータは、第１および第３のツイストペアを第２および第４のツイストペアから分離し、第１のツイストペアは、第１、第２、第３および第４のツイストペアのうち最も短い撚り目を有し、少なくとも１つの拡大部分は、第１の絶縁導体のツイストペアの周りに少なくとも部分的に配置される、請求項１に記載のケーブル。
【請求項４】
少なくとも１つの拡大部分は、セパレータの中心アームの中央から第１の導体のツイストペアの中心を通って引抜かれる線が拡大部分と実質的に交差するように、第１の絶縁導体のツイストペアの周りに巻きつく、請求項３に記載のケーブル。
【請求項５】
少なくとも１つの拡大部分は横長の形状を有する、請求項１に記載のケーブル。
【請求項６】
セパレータは、中心アームに結合される第２のアームをさらに含む、請求項１に記載のケーブル。
【請求項７】
第３の絶縁導体のツイストペアと、
第４の絶縁導体のツイストペアとをさらに含み、
第２のアームは、第３のツイストペアを第１のツイストペアから分離し、第４のツイストペアを第２のツイストペアから分離するよう構成される、請求項６に記載のケーブル。
【請求項８】
第３の絶縁導体のツイストペアと、
第４の絶縁導体のツイストペアとをさらに含み、
セパレータは、第１および第３のツイストペアを第２および第４のツイストペアから分離し、第１のツイストペアと、第２のツイストペアと、第３のツイストペアと、第４のツイストペアと、セパレータとは、ケーブルのコアをなし、コアは誘電体ロッドで螺旋状に巻かれる、請求項１に記載のケーブル。
【請求項９】
誘電体ロッドは、ケーブルが撚られる方向と同じ方向でコアを中心として巻かれる、請求項８に記載のケーブル。
【請求項１０】
誘電体ロッドは、ケーブルが撚られる方向と反対の方向でコアを中心として巻かれる、請求項８に記載のケーブル。
【請求項１１】
第３の絶縁導体のツイストペアと、
第４の絶縁導体のツイストペアとをさらに含み、
セパレータは、第１および第３のツイストペアを第２および第４のツイストペアから分離し、第１のツイストペアと、第２のツイストペアと、第３のツイストペアと、第４のツイストペアと、セパレータとは、ケーブルのコアをなし、コアはジャケット内のケーブルの中央を中心としてうねりを有する（oscillate）、請求項１に記載のケーブル。
【請求項１２】
コアは、ケーブルが撚られる方向と同じ方向でうねりを有する、請求項１１に記載のケーブル。
【請求項１３】
第３の絶縁導体のツイストペアと、
第４の絶縁導体のツイストペアとをさらに含み、
セパレータは、第１および第３のツイストペアを第２および第４のツイストペアから分離し、第１のツイストペアと、第２のツイストペアと、第３のツイストペアと、第４のツイストペアと、セパレータとは、ケーブルのコアをなし、ジャケットは実質的に同じ厚さおよびケーブルのコアに対するジャケットのばらつきのある緊張度で、ケーブルの長さに沿って押出される、請求項１に記載のケーブル。
【請求項１４】
ケーブルの厚さのばらつき度合いの頻度はランダムである、請求項１３に記載のケーブル。
【請求項１５】
第１の絶縁導体のツイストペアと、
第２の絶縁導体のツイストペアと、
第１のツイストペアを第２のツイストペアから分離するよう位置決めされるセパレータと、
第１および第２のツイストペアならびにセパレータを中心として配置されるジャケットとを含み、
セパレータは、中心アームと、中心アームの両端に位置決めされる実質的に対称的な拡大部分とを含む、ケーブル。
【請求項１６】
セパレータは、中心アームの第１端部に形成される第１の丸みを帯びた拡大部分と、中心アームの第２の反対側の端部に形成された第２の丸みを帯びた拡大部分とを含み、第１および第２の丸みを帯びた拡大部分は、実質的に同様にサイズ決めされ、中心アームの中央から実質的に等距離にある、請求項１５に記載のケーブル。
【請求項１７】
セパレータは、中心アームに結合される第２のアームをさらに含む、請求項１５に記載のケーブル。
【請求項１８】
第３の絶縁導体のツイストペアと、
第４の絶縁導体のツイストペアとをさらに含み、
第２のアームは第３のツイストペアを第１のツイストペアから分離し、第４のツイストペアを第２のツイストペアから分離するよう構成される、請求項１７に記載のケーブル。
【請求項１９】
第１および第２の絶縁導体のツイストペアならびにセパレータは、ケーブルのコアを含み、ジャケットは、ジャケットの内周表面から遠ざかって延在する複数の突起を設けられ、複数の突起は、コアを、ジャケットの内周表面から離れたままにさせるよう構成される、請求項１５に記載のケーブル。
【請求項２０】
データケーブルであって、
第１のツイストペア、第２のツイストペアおよび第３のツイストペアを含む、複数の絶縁導体のツイストペアと、
本体部分と本体部分から外向きに延在する複数の歯とを含む成形フィラーとを含み、複数の歯は、中に複数の絶縁導体のツイストペアが個々に配置される複数のチャネルを規定し、前記データケーブルはさらに、
複数の絶縁導体のツイストペアと成形フィラーとをケーブルの長さに沿って取囲む外側ジャケットを含み、
成形フィラーは、本体部分が、第１のツイストペアと第２のツイストペアとの間に第１の間隔を提供し、複数の歯のうちの１つが第２のツイストペアと第３のツイストペアとの間に第２の間隔を提供するように構成され、フィラーは、第２の間隔が第１の間隔よりも実質的に小さいように構成される、データケーブル。
【請求項２１】
本体部分は、外来漏話の減少を促進するようケーブルの長さに沿って延在する螺旋状円周バリアを提供するよう構成される、請求項２０に記載のデータケーブル。
【請求項２２】
成形フィラーの本体部分は横長の形状を有する、請求項２０に記載のデータケーブル。
【請求項２３】
第１および第２の導体のツイストペアは、第１、第２および第３の導体のツイストペアのうち最も類似する撚り目長さを有する、請求項２０に記載のデータケーブル。
【請求項２４】
成形フィラーの歯は、第１、第２および第３の導体のツイストペアの外周を超えて延在する、請求項２０に記載のデータケーブル。
【請求項２５】
歯は、導体のツイストペアの直径よりも狭い、各チャネルの開口部を形成するフランジ部分を含む、請求項２４に記載のデータケーブル。
【請求項２６】
成形フィラーはチャネルを含む、請求項２０に記載のデータケーブル。
【請求項２７】
第１、第２および第３の絶縁導体のツイストペアならびに成形フィラーは、ケーブルのコアを含み、外側ジャケットは、ジャケットの内周表面から遠ざかって延在する複数の突起を設けられ、複数の突起は、コアを、ジャケットの内周表面から離れたままにさせるよう構成される、請求項２０に記載のケーブル。
【発明の詳細な説明】
【技術分野】
【０００１】
発明の背景
１.  発明の分野
この出願は、隣接するケーブル間の外来漏話分離を向上させるよう構成された高速データケーブルおよび／またはケーブルのツイストペア間の向上した漏話に向けられた出願である。
【背景技術】
【０００２】
２.  関連技術の議論
高速データ通信媒体は、バランスの取れた送信線を形成するよう撚り合わされたワイヤの対を含む。そのようなワイヤの対は、ツイストペアと呼ばれる。１つの一般的な種類の従来の高速データ通信のためのケーブルは、一緒に束ねられて撚られ（ケーブル化され）てケーブルを形成する多数のツイストペアを含む。ツイストペアケーブルには２つの包括的なカテゴリがある。非シールドツイストペア（ＵＴＰ）ケーブルおよびシールドツイストペア（ＳＴＰ）ケーブルであり、その各々が利点および不利点を有する。いくつかの用途においては、好ましいケーブル化構造は「非シールドツイストペア」（ＵＴＰ）ケーブル化であるが、これはケーブルをなす個々のツイストペアが個々のシールド層を有しないことを意味する。ＵＴＰは、シールドケーブル（および光ファイバケーブル）よりも設置が容易で費用効率がよいので、しばしばそれらよりも好まれる。
【０００３】
近代的な通信ケーブルは、高周波数での送信に要求される電気的性能特徴を満足しなければならない。通信工業会および電子工学会（ＴＩＡ／ＥＩＡ）は、ケーブルインピーダンス、減衰、スキューおよび漏話分離について、性能の特定のカテゴリを指定する規格を策定した。ツイストペアが、ケーブルの中などに近接して配置される場合、電気的エネルギはケーブルの１つのペアから別のものへと転送され得る。ペアの間で転送されるそのようなエネルギは漏話と呼ばれ、一般的に不所望である。２つ以上のケーブルが近接して積層されるか、または共通の外装シース内に一緒に束ねられる場合、隣接するケーブル内のツイストペア間の漏話というさらなる問題が生じる。これは「外来」漏話として知られる。ＴＩＡ／ＥＩＡは、ＴＩＡ／ＥＩＡ−５６８Ａを含む、漏話についての規格を規定した。国際電気標準会議（ＩＥＣ）もまた、ＩＳＯ／ＩＥＣ１１８０１を含む、データ通信ケーブル漏話についての規格を規定した。１００Ωケーブルについての１つの高性能規格はＩＳＯ／ＩＥＣ１１８０１、カテゴリ５ｅであり、別のものはＩＳＯ／ＩＥＣ１１８０１カテゴリ６である。
【０００４】
イーサネット（登録商標）は今や世界で最も広く用いられているネットワークプロトコルであり、業界においては、ますます高速な伝送速度で信頼性のあるイーサネット（登録商標）データ送信が可能なケーブルに対する必要性が高まり続けている。数年前は、数メガビット／秒（Ｍｂｐｓ）の伝送速度が最新技術であると考えられていた。しかしながら、今や１０ギガビット／秒（Ｇｂｐｓ）よりも速い伝送速度が期待されている。ケーブルを通じたデータの所望伝送速度が速くなるにつれ、漏話、スキューおよび減衰などの影響を制御することがますます重要になってきている。したがって、エンハンスドカテゴリ６ケーブルについてのＵＴＰ規格に鑑みた、新しい１０Ｇｂｐｓイーサネット（登録商標）が開発されている。１０Ｇｂｐｓ伝送速度が可能であるエンハンスドカテゴリ６ケーブルの設計において対処されるべき１つの重要な要因は、外来漏話である。ケーブル外部からツイストペア内への外来漏話結合は、統計的（statistical）であって、適応型増幅器技術によっては補償できない。したがって、ケーブルの設計自体において外来漏話に対処することが重要である。
【０００５】
ケーブル内のツイストペア間の漏話をさらに減じるために、あるケーブルは、ツイストペアを遮蔽および／または互いから分離する、ツイストペア間に配置されるペアセパレータを含む。たとえば、米国特許第６，２２２，１３０号は、「星」型のコアを中心として放射状に配置される４つのツイストペア媒体を含むケーブルを記載する。各ツイストペアは「星」型コアの２つのフィンの間に入れ子状に収まり、コアによって隣接するツイストペアから分離される。これはツイストペア媒体間の漏話の減少および安定化を促進する。
【０００６】
先行技術において、データケーブル内の信号対に対する外来漏話の影響を減じるための試みがなされている。たとえば、あるデータ通信ケーブルは、図１に示すような不規則または非対称的な構造を有する外側ジャケットを含む。図１は、ケーブルジャケット１００によって取囲まれた複数の絶縁導体のツイストペア１０２を含む通信ケーブルを示す。図１に示されるケーブルジャケット１００の「ドッグボーン型」構成は、整列して積層された場合に、近隣のケーブル内に同様に場所決めされる同一のツイストペア間の中心間距離を増大させる。成形外側ジャケット１００はまた、１つのケーブルを他のものに対して形状に起因して横方向に移動させることにより、整列をずらすことも達成し、それにより撚り目が同じツイストペアが非常に近接して位置決めされる可能性を回避する。
【０００７】
ケーブルジャケット１００の形状は、平坦なデータ通信ケーブルがダクト、トラフおよびクロスコネクトパネルに近い場所に設置される場合に、そのようなケーブルの対称的な積層を回避する。そうでなければ、平坦なケーブルはそれらの平坦なまたは矩形の形状により、それ自身で、ほぼ完全な整列で、自動的に配置、整列および積層するるであろう。そのような平坦なケーブルの配置は外来漏話を増大させるが、なぜならば平坦なケーブルジャケット内のツイストペアの場所が平行であって、撚り目または方向が同じであるツイストペア同士は、しばしば各ケーブルを取囲むジャケット材料によってしか分離されないからである。
【０００８】
しかしながら、外来漏話を制御する成形ジャケット方法の欠点とは、図１に示されるケーブルジャケットのような不規則な形状の外側ジャケットを備えたケーブルを製造することが、必ずしも便利でも望ましくもないことである。したがって、極めて従来的であって製造が容易である外側ジャケット形状を維持しつつ、同様のまたは同一の撚り目構成を有し得る隣接するケーブル間の外来漏話を減少する機構への必要性が存在する。理想的に、この機構はＵＴＰケーブル化に対して適切であろう。
【発明の開示】
【課題を解決するための手段】
【０００９】
発明の概要
この発明の局面および実施例は、互いに近接するケーブル内の同様のツイストペア間の外来漏話を減少するよう作用するセパレータ構造に向けられる。
【００１０】
一実施例に従うと、高速データケーブルは、第１の絶縁導体のツイストペアと、第２の絶縁導体のツイストペアと、第１のツイストペアを第２のツイストペアから分離するよう位置決めされるセパレータとを含む。ケーブルはまた、第１および第２のツイストペアならびにセパレータを中心として配置されるジャケットをも含む。一局面に従うと、セパレータは、中心アームと、中心アームの一端に配置され、ジャケットの外向き突出部を形成するように第１の絶縁導体のツイストペアの周りに少なくとも部分的に位置決めされる少なくとも１つの拡大部分とを含む。
【００１１】
別の実施例に従うと、高速データケーブルは、第１の絶縁導体のツイストペアと、第２の絶縁導体のツイストペアと、第１のツイストペアを第２のツイストペアから分離するよ
う位置決めされるセパレータとを含む。ケーブルはまた、第１および第２のツイストペアならびにセパレータを中心として配置されるジャケットをも含む。一局面に従うと、セパレータは、中心アームと、中心アームの両端に位置決めされる実質的に対称的な拡大部分とを含む。
【００１２】
別の実施例に従うと、ケーブルは、第１の絶縁導体のツイストペアと、第２の絶縁導体のツイストペアと、第１のツイストペアを第２のツイストペアから分離するよう位置決めされるセパレータと、第１および第２のツイストペアならびにセパレータを中心として配置されるジャケットとを含み、セパレータは、中心アームと、中心アームの両端に位置決めされる対称的な拡大部分とを含む。一例においては、セパレータは中心アームの第１の端部に形成された第１のボールと、中心アームの反対側の端部に形成された第２のボールとを含み、第１および第２の拡大部分は同様にサイズ決めされて、中心アームから等距離にある。
【００１３】
一実施例に従うと、高速データケーブルは、第１のツイストペア、第２のツイストペア、および第３のツイストペアを含む複数の絶縁導体のツイストペアと、本体部分および本体部分から外向きに延在する複数の歯を含む成形フィラーとを含み、複数の歯は、中に複数の絶縁導体のツイストペアが個々に配置される複数のチャネルを規定し、高速データケーブルはさらに、複数の絶縁導体のツイストペアおよび成形フィラーをケーブルの長さに沿って取囲む外側ジャケットを含む。成形フィラーは、本体部分が第１のツイストペアと第２のツイストペアとの間に第１の間隔を提供し、複数の歯のうちの１つが第２のツイストペアと第３のツイストペアとの間に第２の間隔を提供するよう構成される。第２の間隔は、第１の間隔よりも実質的に小さい。この発明のこの実施例の局面に従うと、本体部分は、外来漏話の減少を促進するために、ケーブルの長さに沿って延在する螺旋状円周バリアを提供するよう構成される。
【００１４】
別の実施例に従うと、高速データケーブルは、第１の絶縁導体のツイストペアと、第２の絶縁導体のツイストペアと、第３の絶縁導体のツイストペアと、第４の絶縁導体のツイストペアと、第１、第２、第３、および第４の絶縁導体のツイストペアを中心として配置されるジャケットとを含む。この実施例に従うと、第１のツイストペア、第２のツイストペア、第３のツイストペアおよび第４のツイストペアはケーブルのコアをなし、コアは誘電体ロッドで螺旋状に巻かれる。
【００１５】
別の実施例に従うと、高速データケーブルは、第１の絶縁導体のツイストペアと、第２の絶縁導体のツイストペアと、第３の絶縁導体のツイストペアと、第４の絶縁導体のツイストペアと、第１、第２、第３および第４の絶縁導体のツイストペアを中心として配置されるジャケットとを含む。この実施例に従うと、第１のツイストペア、第２のツイストペア、第３のツイストペアおよび第４のツイストペアはケーブルのコアをなし、コアはジャケット内のケーブルの中央を中心としてうねりを有する（oscillate）。
【００１６】
別の実施例に従うと、高速データケーブルは、第１の絶縁導体のツイストペアと、第２の絶縁導体のツイストペアと、第３の絶縁導体のツイストペアと、第４の絶縁導体のツイストペアと、第１、第２、第３および第４の絶縁導体のツイストペアの周りに配置されるジャケットとを含む。この実施例に従うと、第１のツイストペア、第２のツイストペア、第３のツイストペアおよび第４のツイストペアはケーブルのコアをなし、ジャケットは実質的に同じ厚さおよびケーブルのコアに対するばらつきのある緊張度で、ケーブルの長さに沿って押出される。
【００１７】
添付の図面は縮尺通りに描かれることが意図されない。図面においては、さまざまな形状で図示される同一またはほぼ同一の素子は、同様の番号で表わされる。明確化のために
、すべての図面においてすべての素子の名前は示さない。
【発明を実施するための最良の形態】
【００１８】
詳細な説明
添付の図面を参照して、この発明のさまざまな実施例および局面を詳細に説明する。この発明が、以下の説明に記載されるかまたは図面に図示される構造の細部および部品の配置への適用に限定されないことを認識されたい。この発明は他の実施例が可能であり、さまざまな態様で実施または実行されることが可能である。また、ここで用いられる言い回しまたは用語は説明目的のみであり、限定的なものと捉えてはならない。「含む」「備える」「有する」「包含する」または「関係する」およびそれらの変形例のここでの使用は、その後に続く項目およびその等価物ならびに付加的な項目を包含することを意図する。
【００１９】
この発明のいくつかの局面および実施例は、中にツイストペアが配置されるチャネルを規定する成形フィラーを含むツイストペアケーブルに向けられる。成形フィラーは、互いに対して予め定められた関係においてツイストペア同士を保持し、ツイストペア間の漏話および／またはインピーダンス不均一性の減少を促進し得る。さらに、この発明の他の局面に従うと、成形フィラーはケーブルに不均一な外周を持たせ、以下にさらに説明するように、隣接するケーブル間に不等距離の間隔配置をもたらす。
【００２０】
この発明の他の局面および実施例は、以下にさらに説明するように、隣接するケーブル内のツイストペア間の不等距離の間隔配置と隣接するケーブル間の減少された外来漏話とをもたらす、フィラーを含むツイストペアケーブルに向けられる。
【００２１】
この発明の他の局面および実施例は、以下にさらに説明するように、隣接するケーブル内のツイストペア間の不等距離の間隔配置と隣接するケーブル間の減少された外来漏話とをもたらす、ケーブルの円周を中心とする誘電体ロッドを含むツイストペアケーブルに向けられる。
【００２２】
この発明の他の局面および実施例は、以下にさらに説明するように、隣接するケーブル内のツイストペア間の不等距離の間隔配置と隣接するケーブル間の減少された外来漏話とをもたらす、ケーブルのジャケット内でケーブルの中心の周りに螺旋状にされたコアを含むツイストペアケーブルに向けられる。
【００２３】
この発明の他の局面および実施例は、以下にさらに説明するように、ケーブルのコアに対するジャケットの緊張度がさまざまである領域と、隣接するケーブル内のツイストペア間の不等距離の間隔配置と、隣接するケーブル間の減少された外来漏話とをもたらす、ジャケットを含むツイストペアケーブルに向けられる。
【００２４】
この発明のさまざまな実施例に従ったケーブルは、これらに限定するものではないが、データまたは音声ネットワーク用途（たとえばコンピュータ、電話または他のデータネットワーク構成要素を接続するケーブル）、ローカルエリアネットワーク（ＬＡＮ）、イーサネット（登録商標）用途、および他のさまざまなケーブル用途を含む、すべてのケーブル用途に用いることが可能である。
【００２５】
この発明の局面は、１０ギガビット／秒（Ｇｂｐｓ）データ伝送速度に対する要件を満足し得る非シールドツイストペア（ＵＴＰ）ケーブルに関する。この発明の実施例は、セパレータを含むＵＴＰケーブルを含み、このセパレータは、このケーブル内のツイストペア間に位置し、近くのまたは隣接するケーブルからの外来漏話影響を減少するよう設計される。
【００２６】
上述のように、ツイストペアデータケーブル内のツイストペア間の漏話、および共同に設置されるケーブル内のツイストペア間の外来漏話は、高性能の高速データケーブルの設計者にとって特定的な関心事である。この発明は、新規な成形フィラーの使用によって、漏話および外来漏話の課題への解決策を提供する。
【００２７】
図２を参照して、外側ジャケット１１２によって取囲まれる複数のツイストペア１１０ａ、１１０ｂ、１１０ｃ、１１０ｄを含む従来のケーブル１０８の一実施例が示される。ケーブル１０８はまた、ツイストペア１１０のいくつかを他のツイストペア１１０から分離するように複数のツイストペア１１０間に位置決めされるセパレータ１１４をも含む。セパレータ１１４は、ケーブルの長手方向の長さに沿って延在して、ツイストペア間に所望の間隔配置を提供することにより、ツイストペア間の漏話を減少する役割を果たす。たとえば、ツイストペア１１０ａは、ツイストペア１１０ｃの撚り目と同様の撚り目を有していてもよく、セパレータ１１４は、ツイストペア１１０ａをツイストペア１１０ｃから分離するように位置決めされることにより、これら２つのツイストペア間に生じ得る漏話を減少し得る。
【００２８】
従来のケーブルにおいて存在するセパレータは、いくつもの異なった形状を有し、ケーブル内の１つ以上のツイストペアを他のツイストペアから分離するように、外側ジャケット内で折返されて配置され得る。たとえば、クラーク（Clark）他の米国特許第６，５７０，０９５号は、テープセパレータのいくつかの配置を開示する。他のセパレータは、たとえば、ガレース（Gareis）の米国特許第６，２２２，１３０号に開示されるセパレータのような星型、またはブーチノ（Boucino）他の米国特許第５，９６９，２９５号に開示されるセパレータのようなクロス型であろう。これらのセパレータは、形状または材料にかかわらず、対向し隣接するツイストペア間の物理的な接触を回避するために一般的に用いられ、これらセパレータの第１の機能とはケーブル内のツイストペア間の漏話を減少することである。しかしながら、そのようなセパレータは近隣のケーブル内のツイストペア間の外来漏話に対しては、ほとんどまたは全く効果を有しない。
【００２９】
多くの状況下で、ケーブルは、一緒に束ねられるかまたは互いに近接して、たとえば導管内に配置される。上述のように、近接したケーブル間の外来漏話は、高速データケーブルの設計における重大な関心事である。図３を参照して、互いに隣接して位置する２つのケーブル１０８ａおよび１０８ｂの断面が示される。ケーブル１０８ａおよび１０８ｂの各々は、異なった撚り目を有する複数のツイストペア１１０ａ、１１０ｂ、１１０ｃ、１１０ｄと、たとえば上述のどの種類のセパレータであってもよいセパレータ１１４とを含み得る。
【００３０】
図３に示すように、ある状況においては、ケーブル１０８ａ、１０８ｂの配向は、異なったケーブルにおける同様の撚り目を有する２つのツイストペア１１０ａが互いに近接して配置されるものであり得るが、これは２つのペアの間に顕著な外来漏話をもたらし得る。これがさまざまな状況下で生じることを認識されたい。たとえば、ケーブル１０８ｂ内のツイストペア１１０ａは、ケーブル１０８ａ内のツイストペア１１０ａと同一の撚り目を有していても、またはわずかに異なった撚り目を有していてもよい。さらに、ある状況においては、別のツイストペア、たとえばケーブル１０８ｂ内のツイストペア１１０ｃが、ケーブル１０８ａ内のツイストペア１１０ａの撚り目と同様の撚り目を有しており、ケーブル１０８ａ内のツイストペア１１０ａに近接して配置されていてもよい。図３から明らかなように、セパレータ１１４はこれらのツイストペア（たとえば図示される各ケーブル内のペア１１０ａ）の近接性に対して何ら影響を与えないので、外来漏話の減少を全くもたらさない。
【００３１】
上述のおよび同様の状況下で、隣接するケーブル内の２つの近接して離隔されたツイス
トペアが同様の撚り目を有する場合に、当該２つの近接して離隔されたツイストペア間に外来漏話が生じ得る。たとえば、２つのケーブルは、各々が４つの絶縁導体のツイストペアを含むよう製造され、そのツイストペアがほぼ表１に示されるとおりの撚り目を有していてもよい。
【００３２】
【表１】
2009518816.tif 000003
【００３３】
表１に示される撚り目は単に例示的なものであって、限定的であることは意図されないことを認識されたい。また、製造公差により、異なったケーブルにおける個々のツイストペアの実際の撚り目は、表１に示される例示的な値とはわずかに異なり得ることをも認識されたい。しかしながら、外来漏話は同一の撚り目を有するツイストペア間だけにではなく、類似の撚り目を有するツイストペア間にも生じ得る。したがって、表１および図３から明らかなように、さまざまな状況下で、たとえば、１つのケーブルのペア１１０ａが別のケーブルのペア１１０ａまたは１１０ｃのいずれかに近接するようにケーブル同士が位置決めされている場合に、顕著な外来漏話が生じ得る。同様に、１つのケーブルのツイストペア１１０ｂが別のケーブルのツイストペア１１０ｂまたはツイストペア１１０ｄのいずれかに近接する場合に、顕著な外来漏話が生じ得る。この、近接して離隔されたツイストペア間の外来漏話が問題となるケーブル位置決めの例は、希ではない。上述のように、ギガビットイーサネット（登録商標）データ送信のための送信仕様をＵＴＰケーブルが満足するためには、そのようなツイストペア間に生じる外来漏話を減少する必要性がある。
【００３４】
一実施例に従うと、ケーブル内のツイストペア間に位置決めされて、隣接するケーブル内の同様のツイストペア間の外来漏話を減じる役割を果たすセパレータが提供される。図４を参照して、ツイストペアケーブル内に位置決めされるそのようなセパレータの一例が示される。この実施例においては、ケーブル１１６はケーブルジャケット１２２によって取囲まれる、複数の絶縁導体のツイストペア１１８とセパレータ１２０とを含む。セパレータ１２０は、中心部分またはアーム１２４と、アーム１２４の両端に位置決めされる（アームと比較して）拡大された部分１２６、１２８とを含み得る。これにより、セパレータ１２０は示されるように「ダンベル」形状を有する。明確化および簡潔化のために、拡大部分１２６、１２８をここで「拡大部分」と称する。しかしながら、「拡大部分」という用語は、単に識別のためにのみ用いられるのであって、拡大部分が何らかの特定の形状であることを示唆することは意図されないことを認識されたい。拡大部分１２６、１２８はいくつもの異なった形状を有してもよく、たとえば、横長、矩形、六角形、多角形または他のさまざまな形状のいずれであってもよく、円形または略円形に限定されない。図４に示される一実施例においては、拡大部分は示されるように中心アーム１２４の両端に形成され、中心アームの中心から等距離にあってもよい。さらに、これから説明するように、セパレータは少なくとも１つの中心アーム部分の両端に対称的な拡大部分を有するか、少なくとも１つの中心アーム部分の両端に非対称的な拡大部分を有するか、または中心アーム部分の少なくとも一端に配置される１つの拡大部分を有してもよい。また、これから説明するように、セパレータのさまざまな実施例は２つ以上の中心アームを有していて、そのさらなる中心アーム部分の各々は、拡大部分を有しないか、中心アーム部分の少なくとも一端に配置された拡大部分を有するか、少なくとも１つのさらなる中心アーム部分の
両端に対称的な拡大部分を有するか、または少なくとも１つのさらなる中心アーム部分の両端に非対称的な拡大部分を有するか、のいずれであってもよい。
【００３５】
さらに、ケーブルは如何なる数のツイストペア（図示される４対に限定されない）を含んでもよく、ツイストペア１１８は如何なる所望の構成で（図示されるセパレータの両端における２対に限定されず）セパレータ１２０を中心として配置されてもよいことをも認識されたい。
【００３６】
図４に示されるように、ツイストペア１１８とセパレータとが一緒にケーブル化されて（撚り合わされて）ケーブル１１６を形成する場合、セパレータの拡大部分１２６、１２８はケーブルの全体形状を、従来の円形（図４に点線１３０によって示す）ではなく、楕円形にさせる。この効果は、ケーブルの両端の拡大部分の比較的大きな体積の存在により生じ、これはジャケットに、その存在を受入れるよう楕円形状を取らせる。一実施例に従うと、ツイストペア１１８は、図４に示されるように、従来の円形ケーブルと比較すると、楕円形ケーブルのより中央の領域に向かって収められる。セパレータの拡大部分は、中心領域の外側に、そしてケーブルの楕円形端縁内へと延在する。ケーブルがその長手軸を中心として螺旋状に撚り合わされる場合（これはツイストペア１１８とセパレータ１２０とが一緒にケーブル化されてジャケット１２２によって外装されるケーブル化工程の一部として生じる）、図５に示されるように、拡大部分１２６および１２８はケーブルの長さに沿ってケーブルの円周の周りに、よってツイストペア１１８の周りに、螺旋状の壁またはバリアを形成する。
【００３７】
図５を参照して、互いに隣接する図４の２つのケーブルが示される。明確化および説明のために、一方のケーブル１３２のみをケーブル化して示し、他方のケーブル１３４を単に断面として示す。しかしながら、実際には、２つのケーブルが導管内または他の領域において互いに対して近接する場合、両方ともがケーブル化される可能性が最も高いことを認識されたい（すなわち、ツイストペアをなす２つの絶縁導体が互いに対して撚り合わされるのと同じ態様で、各々がその内部の長手軸中心軸を中心として螺旋状に撚り合わされる）。
【００３８】
図５に示される一実施例に従うと、ケーブル１３２および１３４のそれぞれにおけるセパレータ１３８ａおよび１３８ｂのそれぞれの拡大部分１３６ａおよび１３６ｂは、互いに当接して、ケーブル１３２のツイストペア１４０を、たとえば図３に示される（図５にも想像線でケーブル１３４について示される）従来の円形ケーブルのような成形セパレータがないケーブルと比較すると、ケーブル１３４のツイストペア１４２からさらに離隔させる。２つのケーブル１３２および１３４を断面のみから考えると、セパレータ１３８ａ、１３８ｂが互いに対して平行になるようにケーブル同士を互いに対して配向して、拡大部分１３６ａおよび／または１３６ｂが、たとえば隣接して位置決めされるケーブルの長さに沿ったさまざまなポイントで、ツイストペア１４０とツイストペア１４２との間に存在しないようにすることが可能であろう。しかしながら、上述のこの発明のケーブルおよびセパレータの一局面においては、ケーブル１３２および１３４がケーブル化される場合、セパレータの拡大部分は、ケーブルの長さに沿った所与のポイントでのケーブルの配向がどのようであろうと、ケーブル長さに沿ったさまざまなポイントで（たとえば、ケーブルの３６０度の回転ごとに）２つのケーブルの２組のツイストペアの間に拡大部分が挿入されるように、ケーブルの長さに沿って螺旋状のバリアを形成する。拡大部分１３６ａ、１３６ｂによって形成されるバリアは常に、ツイストペア１４０のツイストペア１４２からの分離を促進する。４対ツイストペアケーブルに対する適切なケーブル撚り目長さの１つの例は、約２．５インチであろう。そのようなケーブル撚り目では、拡大部分は２つのケーブル間に少なくとも２．５インチごとに挿入される。この発明のセパレータおよびケーブルの利点は、ツイストペア間の距離が増大するにつれて、外来漏話が減少することで
ある。したがって、隣接するケーブルのツイストペアが、セパレータがもたらすバリアによって互いからさらに離隔されるので、ペア間の外来漏話が減じられる。
【００３９】
図３を参照して、ケーブル１０８ａおよび１０８ｂが互いに隣接する場合、２つのツイストペア１１０ａは近接し得る。対照的に、この発明の局面に従ったセパレータ１３８ａ、１３８ｂを有するケーブルにおいては、類似の撚り目を有し得る（ケーブル１３２における）ツイストペア１４０および（ケーブル１３４における）ツイストペア１４２は、互いに近接しない。なぜならば、図５に示すように、セパレータ１３８ａおよび１３８ｂの拡大部分１３６ａおよび１３６ｂがそれぞれ、ツイストペア１４０ａおよび１４２ａが互いに近接することを防ぐからである。
【００４０】
この発明の一実施例に従うと、セパレータ１３８ａ、１３８ｂは少なくとも１つの拡大部分１３６ａ、１３６ｂを設けられ、これら拡大部分１３６ａ、１３６ｂは、最も短い撚り目を有する導体のツイストペア（図５に１３４ａおよび１４２ａとして示す）に隣接し、かつケーブル１３２、１３４の長さに沿ったさまざまなポイントで比較的短い撚り目を有するツイストペア１４０ａ、１４２ａを分離するように配置される。２つの拡大部分１３６ａ、１３８ａ（ケーブル１３２）および１３６ｂ、１３８ｂ（ケーブル１３４）を備えた図示される実施例においては、ツイストペア１４０、１４２が「短い撚り目−長い撚り目−短い撚り目−長い撚り目」構成で配置されるので、拡大部分の各々は、短い撚り目および長い撚り目を有するツイストペアの近傍に配置されることを理解されたい。しかしながら、これからさらに詳細に説明する単一の拡大部分を備えた実施例においては、最も短いかまたは比較的短い撚り目長さを有するツイストペアに拡大部分を隣接して設けることの利点はあっても、比較的短いかまたは最も短い撚り目長さを有するツイストペアに拡大部分を必ずしも隣接させなくてもよいことを認識されたい。特に、比較的短い撚り目長さを有する対は、典型的には比較的厚い絶縁厚さで絶縁されるので、比較的薄い絶縁厚さで絶縁されるので比較的薄い全体直径を有する比較的長い撚り目長さを備えたツイストペアよりも、典型的には大きな全体直径を有する。したがって、ある局面に従うと、拡大部分を、最も短いかまたは比較的短い撚り目長さを有するツイストペアに隣接して（または図６に示されるようにその周りに）設けることの利点は、拡大部分が比較的長いかまたは最も長い撚り長さを有するツイストペアの周りに設けられる場合と比較して、２つのケーブルをケーブル長さに直交する軸に沿って物理的にさらに分離させる結果をもたらす。こうして、拡大部分を最も短い撚り目長さを有するツイストペアに隣接してまたはその周りに設けることは、最良の外来漏話減少をもたらす。
【００４１】
こうして、この発明の局面に従ったセパレータ１３８ａ、１３８ｂは、隣接するケーブル内の同様のツイストペア間の外来漏話を、そのようなツイストペアの間隔を増大させることにより、減少させることができる。有利には、この発明のある局面に従うと、セパレータはケーブルジャケットを修正することなく、外来漏話を減少することができる。しかしながら、ここに引用により援用する、共通に所有される米国特許第７，１３５，６４１号に開示されるように、ジャケットは、ジャケットの内周表面から離れるよう延在する複数の突起を備えて形成されてもよいことも認識されたい。当該米国特許第７，１３５，６４１号においては、複数の突起は、複数の絶縁導体のツイストペアをジャケットの内周表面から離れたままにさせ、ここに説明されるセパレータの実施例と同様の目的を果たす。
【００４２】
この発明の局面に従ったケーブルは、ツイストペア絶縁体、セパレータおよびケーブルジャケットにいくつもの異なった材料を用いて構成されてもよいことを認識されたい。たとえば、この発明の局面に従ったセパレータは、導電性または非導電性、難燃性またはそうではない、多くの異なった材料のうち１つ以上を含み得る。たとえば、セパレータは、ある例においては発泡され得る、難燃性で低誘電率で低散逸率のポリマーを含み得る。一例においては、セパレータは発泡された難燃性発泡ポリオレフィンまたはＮＥＰＴＣ  Ｐ
Ｐ５００「SuperBulk」のようなフッ素樹脂、発泡フッ化エチレンプロピレン樹脂（ＦＥＰ）または発泡ポリ塩化ビニル（ＰＶＣ）を含み得る。プレナム認定ケーブルについては、セパレータは難燃性および／または煙を減少する性質または添加剤を備えた材料を含み得る。セパレータはまた、これらに限定されるものではないが、ポリオレフィンまたはガラス繊維のフィラー、導電性材料、または導電性被覆またはフィリングを備えた誘電体のような部分的に導電性の材料などの、体積充填材料を含む他のさまざまな材料から構成されてもよい。さらに、外側ジャケット１２２は、たとえばポリ塩化ビニル（ＰＶＣ）、低煙難燃性ＰＶＣ、または任意のプレナム認定もしくは非プレナム認定熱可塑性樹脂を含む、さまざまな材料から構成されてもよい。同様に、ツイストペアは、当業者には公知である任意の好適な絶縁材料によって絶縁され得る。上述の材料の例は、単に一例として示され、この発明はこれらの材料の使用に限定されないことを認識されたい。
【００４３】
さらに、上述のように、この発明のさまざまな局面に従ったセパレータは、さまざまな異なった形状を有してもよく、図４および図５に示される特定の形状に限定されない。
【００４４】
たとえば、図６を参照して、ケーブルジャケット１７６の中にケーブル化されるセパレータ１７２と複数のツイストペア１７４とを含むケーブル１７０の別の実施例が示される。このセパレータの実施例は、中心アーム部分１７８と横長の拡大部分１８０とを含む。ある実施例に従うと、もし誰かがツイストペア１７４ａの中心を通して中心アーム１７８の中央から１本の線を引抜こうとすれば、それが拡大部分１８０と交差するように、拡大部分１８０が導体のツイストペア１７４ａの周りに巻かれる。たとえば細い糸またはテープによって、またはジャケットをケーブルの周りに押出す間に、人工物を定位置に保持することを含む、当業者には公知であるいずれの製造方法に従っても、拡大部分をこの構成においてケーブルに設け得ることを認識されたい。上述のように、拡大部分は、円形、横長、ティアドロップ型、矩形、六角形、多角形または他の如何なる形状であってもよい。また、拡大部分は、図６に示すようにツイストペア１７４ａの周りに巻かれなくてもよく、その代わりに、（想像線で示す）拡大部分１８０′によって図示されるように、ツイストペアに隣接してもよいことをも認識されたい。さらに、上述のように、セパレータは、少なくとも１つの中心アーム部分の両端に対称的な拡大部分を含んでも、少なくとも１つの中心アーム部分の両端に非対称的な拡大部分を含んでも、または中心アーム部分の少なくとも１つの端部に配置された少なくとも１つの拡大部分を含んでもよいことを理解されたい。さらに、これから説明するように、さまざまなセパレータの実施例は、２つ以上の中心アーム部分を有してもよく、そのさらなる中心アーム部分の各々が拡大部分を有しないか、中心アーム部分の少なくとも一端に配置される拡大部分を有するか、少なくとも１つのさらなる中心アーム部分の両方の端部に対称的な拡大部分を有するか、または少なくとも１つのさらなる中心アーム部分の両方の端部に非対称的な拡大部分を備えていてもよい。
【００４５】
さらに、ケーブルは任意の数のツイストペア（図示される４対に限定されない）を備えていてもよく、ツイストペア１７４は任意の所望の構成でセパレータ１７２を中心として位置決めされ得る（図６に示されるセパレータの両側の２対の例示に限定されない）ことをも認識されたい。たとえば、一実施例においては、拡大部分１８０または１８０′は最も短いかまたは比較的短い撚り目長さを有するツイストペア１７４ａに隣接して（または図６に示されるようにその周りに）位置する。この配置によって、同じセパレータ構成であって隣同士に配置される２つのケーブル（以下のさらなる詳細な説明においては図１２を参照）によって、拡大部分１８０または１８０′（図１２においては楕円形として図示）は、ケーブルの長さに沿った、拡大部分１８０、１８０′がケーブル間で整列するさまざまなポイントにおいて、たとえば最も短い撚り目長さを有する１７４ａである導体のツイストペアを分離する。この結果、２つのケーブルは、ケーブル長さに直交する軸に沿って物理的にさらに分離される。換言すると、拡大部分は図１２に図示されるように整列さ
れた場合に、ケーブルに直交する軸に沿ってケーブル間の物理的な分離を提供する、ケーブル間のセパレータまたはブリッジとしての役割を果たす。この発明のさまざまな局面に従うと、拡大部分１８０、１８０′は必ずしも最も短い撚り目を有するツイストペアに隣接して配置されなくても、それどころか比較的短い撚り目を有するツイストペアに隣接して配置されなくてもよく、どのようなツイストペアに隣接して配置されてもよいことをも理解されたい。
【００４６】
図６に図示される実施例に示されるように、セパレータ１７２の実施例およびツイストペア１７４が一緒にケーブル化されて（撚り合わされて）ケーブル１７０を形成する場合、セパレータの拡大部分１８０、１８０′は、ケーブルの全体形状を、従来の円形（点線で示す想像線で図示）ではなく横長にさせる。こうして、このケーブルの実施例は、（図３に示すような）拡大部分を有しないセパレータを備えたケーブルと比較すると、隣接するケーブルのツイストペア１７４同士をさらに離隔させるという利点をも有するので、隣接するケーブルのツイストペア間の外来漏話を減じるという利点を有する。
【００４７】
ここで説明されるこの発明のさまざまな実施例によって達成され得る隣接ケーブル間の外来漏話の減少には、２つの態様があることを理解されたい。上述のように、図１２は、この発明のさまざまな実施例に従った隣同士に配置された２つのケーブルを示し、この発明のセパレータおよびケーブルのさまざまな実施例が、どのようにケーブルに直交する軸に沿ったケーブルのツイストペア間の間隔配置を提供するかを例示する。図示されたケーブルの実施例は、図６を参照して上述の実施例に対応するものであるが、図１２において拡大部分は、ケーブルの茶色四分円（茶色はハッシング（hashing）記号で表示する）によって表わされる導体のツイストペアの隣の楕円形として示される。この実施例においては、楕円形はケーブルの茶色四分円に隣接して位置するが、これは最も短い撚り目を有する導体のツイストペアを表わすことが意図される。図１２は、２つの同様に構成されるケーブルが隣同士に配置され、かつケーブルの拡大部分がケーブルの長さに沿って整列すると、セパレータの拡大部分が整列してケーブルのツイストペア間にさらに大きな間隔をもたらす場所がケーブルの長さに沿って多く存在することを例示する。換言すると、ケーブル撚り目長さとセパレータの拡大部分とを設けられたケーブルは、ケーブル間で、したがってツイストペア間で、ケーブル長さに沿って連続的な螺旋状ブリッジを提供する。たとえば、もしケーブルが５インチのケーブル撚り目を設けられていれば、ケーブルのセパレータの拡大部分は実質的に５インチごとに整列して、ケーブル間およびツイストペア間により大きな分離をもたらす。
【００４８】
図１３は、この発明のさまざまな実施例のセパレータおよびケーブルが提供する間隔配置および絶縁の第２の態様を図示する。図１３は、２つの隣同士に位置決めされたケーブルを示して、この発明のセパレータおよびケーブルのさまざまな実施例が、どのようにケーブルの長さに沿ってケーブル間に入れ子状態様をもたらし得るかを例示する。図１３もまた、セパレータの拡大部分が、ケーブルの色付き四分円によって表わされる導体のツイストペアに隣接する楕円形としてとして表わされるように例示する。この実施例においては、楕円形はケーブルの茶色四分円に隣接して位置決めされるが、これは最も短い撚り目を有する導体のツイストペアを表わすことが意図される。もし誰かが、たとえば図６に示されるケーブルである、この発明に従った２つの同様に構成されたケーブルを掴んで引張れば、ケーブルは互いに対してそれらの長さに沿って移動して、図１３に示されるように一緒に入れ子状となるであろう。この２つのケーブル間の、ケーブル長さに沿った移動は、ケーブル間のペアとペアとの整列をも減少するというさらなる利点を有し、それにより、同様のペア間の距離の増大およびケーブルのツイストペア間の外来漏話の全体的な減少をももたらす。
【００４９】
図７に示される別の実施例に従うと、ケーブル１４４は複数のツイストペア１４６とセ
パレータ１４８とを含み得る。セパレータ１４８は中心アーム部分１５０と、中心アーム部分の両端の２つの拡大部分１５２と、さらなるアーム１５４部分とをも有する。図７に図示される例においては、セパレータがクロスダンベル形状を有するように、さらなるアーム部分１５４は中心アーム１５０に対して約９０度をなすように位置決めされる。しかしながら、この発明はそのように限定されるものではなく、さらなるアームは中心アームの略中心だけではなく、一方の拡大部分または他方の拡大部分に近く位置決めされてもよく、また中心アームに対して如何なる角度で形成されてもよいことを認識されたい。さらに、セパレータ１４８はいくつもの他のさらなるアームを含み得る。たとえば、これから説明するように、さまざまなセパレータの実施例は、２つ以上の中心アーム部分を有してもよく、このさらなる中心アーム部分の各々が、拡大部分を有しないか、中心アーム部分の少なくとも一端に配置される拡大部分を有するか、少なくとも１つのさらなる中心アーム部分の両端に対称的な拡大部分を有するか、または少なくとも１つのさらなる中心アーム部分の両端に非対称的な拡大部分を有するかのいずれであってもよい。また、拡大部分は、円形、横長、ティアドロップ型、矩形、六角形、多角形または他の如何なる形状のような、どのような形状であってもよいことをも理解されたい。また、拡大部分は図６の拡大部分１８０のようにツイストペアの周りに巻かれてもよいが、たとえば図６の拡大部分１８０′に図示されるように拡大部分の周りに巻かれなくてもよいことをも認識されたい。こうして、この発明のある実施例に従うと、セパレータ１４８は外来漏話を減じるためだけではなく、ケーブル１４４内のツイストペア間の漏話を減じるためにも有用である。たとえば、（図７に示すように）４対ケーブルにおいては、セパレータの２つのアーム部分１５０、１５４は、中にツイストペア１４６が個々に配置される４つのコンパートメント１５６を提供し得る。別の例においては、ケーブル１４４は４つよりも多くのツイストペア１４６を含んで、２つ以上のツイストペアがコンパートメント１５６のいずれかに配置されてもよい。さらに、セパレータ１４８がさらなるアームを含む場合は、中にツイストペアが配置され得るさらなるコンパートメントが設けられてもよい。
【００５０】
図８から図１１は、ここで説明する発明に従ったセパレータの異なった実施例を設けられるケーブルのさまざまな実施例１８２、１８４、２８６および２８８を示す。これらは、この発明に従って提供され得る多くの代替的な構成のいくつかを例示するためのさらなる例示的な実施例として提供される。上述のように、同様の素子には同様の参照番号を付してこれらの図は描かれ、簡潔さのために、図８から図１１の実施例については図ごとの素子の各々についての説明は提供されないことを認識されたい。
【００５１】
当業者には明らかであるように、ここで説明されるセパレータについては図示される以外にもいくつもの形状が考えられることを認識されたい。たとえば、セパレータは、丸みを帯びていない、たとえば角張った形状であるか、または他のさまざまな任意の形状である拡大部分を含み得る。セパレータはまた、たとえばケーブルが４つよりも多くのツイストペアを含む場合にツイストペアをケーブル内で分離するための、いくつもの他のアーム部分をも含み得る。さらに、ここに説明するケーブルの実施例のいずれかに従うと、ここに引用により援用される共通に所有される米国特許第７，１３５，６４１号に開示されるように、ジャケットは、ジャケットの内周表面から離れるよう延在する複数の突起を備えて形成されてもよいことを認識されたい。当該米国特許第７，１３５，６４１号においては、複数の突起は、複数の絶縁導体のツイストペアをジャケットの内周表面から離れたままにさせ、ここで説明されるセパレータの実施例と同じ目的を果たす。この発明は、セパレータの如何なる特定の形状にも限定されないことを理解されたい。セパレータは、横長の、または楕円形の、または丸みを帯びていない形状のジャケットを形成するように少なくとも１つの（任意の形状の）拡大部分を提供することが好ましく、ある実施例においては、セパレータは（図５に示されるように）、ケーブルが螺旋状に撚られた場合に見ると、ツイストペアをケーブルの中央に向けて収め、従来のケーブルと比較すると、（図５に示されるように）隣接するケーブルのツイストペア間に増大した間隔をもたらす。
【００５２】
図１４を参照すると、この発明の局面に従った成形フィラーを含むツイストペアケーブルの一実施例が示される。ケーブル２１０は、成形フィラー２１４を中心として配置される複数の絶縁導体のツイストペア２１２ａ、２１２ｂ、２１２ｃおよび２１２ｄを含む。フィラー２１４およびツイストペア２１２は、ジャケット２１６によって取囲まれるケーブルコアと、任意で、ケーブルコアとジャケット２１６の内側表面との間に配置されるシールド２１８とを含む。
【００５３】
一実施例においては、フィラー２１４はベース部分２２０と、中に１つ以上のツイストペア２１２が配置され得るチャネル２２４を規定する複数の歯２２２とを含む。１つの好ましい実施例に従うと、たとえば歯２２２またはベース部分２２０のいくらかであるフィラー２１４の一部によって、各ツイストペア２１２がケーブル内の他のツイストペアから分離されるように、各ツイストペア２１２がチャネル２２４内に個々に配置される。こうして、フィラー２１４はツイストペアを互いから分離する役割を果たし、ツイストペア間の漏話を減少し得る。
【００５４】
上述のように、ツイストペア２１２は互いとは異なった撚り目を有し得る。たとえば、一実施例においては、ツイストペアは以下の表２にほぼ示されるとおりのの撚り目を有し得る。
【００５５】
【表２】
2009518816.tif 000004
【００５６】
表２に示される撚り目は単に例示的なものであって、限定的であることは意図されないことを認識されたい。製造公差によって、異なったケーブル内の個々のツイストペアの実際の撚り目は、表２に示される例示的な値とはわずかに異なり得ることをも認識されたい。しかしながら、漏話は同一の撚り目を備えたツイストペア間だけではなく、類似の撚り目を備えたツイストペアの間でも生じ得る。こうして、一例においては、たとえばツイストペア２１２ａおよび２１２ｄである異なった撚り目を備えたツイストペア（これらの間では漏話はほとんどまたは全く生じない）は、歯２２２によってのみ分離されるように、ツイストペアが図１４に示されるフィラー２１４を中心として配置される。一方、たとえばツイストペア２１２ａおよび２１２ｃである類似の撚り目を有するツイストペアは、フィラー２１４の大きな体積によって分離される。この態様で、フィラー２１４は類似の撚り目を備えたツイストペア間の漏話の減少を促進する。
【００５７】
ツイストペア間の漏話は、ツイストペアを隔てる距離に反比例する。さらに、漏話は、ツイストペア間の誘電体バリア材料または導電性シールドの存在により減少する。したがって、フィラーの大部分をツイストペア間に配置することにより、ツイストペアが互いから離隔され、フィラーによって互いから分離されるので、これらのツイストペア間の漏話が減少する。さらに、フィラーの大部分が類似の撚り目を備えたツイストペア間に配置されるので、これらのツイストペア間の漏話に対する悪影響なしに、２つの類似のツイストペアの撚り目の間のデルタが減じられる。
【００５８】
この発明が図面に示される実施例に限定されないことを認識されたい。たとえば、フィラー２１４は図１４に示される形状に限定されない。フィラーは、他のさまざまな形状を有し得る。たとえば、フィラーのベース部分はそれよりも「球状」であっても、それよりも矩形であっても、比較的大きなベース部分を可能にさせる他の何らかの形状であってもよい。さらに、ケーブルは４つよりも多くのまたはそれよりも少ないツイストペアを有していてもよい。対応して、フィラー２１４は、ケーブルをなすツイストペアの数を受け入れるように好適な数のチャネル２２４を提供することが例示されている３つよりも多くても少なくてもよい。さらに、２つ以上のツイストペアが単一のチャネルに配置されてもよいし、いくつかのチャネルはツイストペアを含まなくてもよい。さらに、図示されるようにすべての歯２２２がフィラーの一方側に位置する必要はない。そうではなく、いくつかの歯が、ベース部分の対向するまたは隣接する表面から他の歯に向かって延在して設けられてもよい。さらに、ここに引用により援用する、共通に所有される米国特許第７，１３５，６４１号に開示されるように、ジャケットは、ジャケットの内周表面から離れるよう延在する複数の突起を備えて形成されてもよいことを認識されたい。当該米国特許第７，１３５，６４１号においては、複数の突起は、複数の絶縁導体のツイストペアをジャケットの内周表面から離れたままにさせ、ここに説明されるセパレータの実施例と同様の目的を果たす。
【００５９】
この発明の局面に従ったケーブルは、ツイストペア絶縁体、フィラーおよびケーブルジャケットにいくつもの異なった材料を用いて構成されてもよいことを認識されたい。たとえば、この発明の局面に従ったフィラーは多くの異なった材料を含んでもよく、導電性であっても非導電性であっても、難燃性であってもそうでなくてもよい。たとえば、フィラーは、ある例においては発泡され得る、難燃性で低誘電率で低散逸率のポリマーを含み得る。一例においては、セパレータは発泡された難燃性発泡ポリオレフィンまたはＮＥＰＴＣ  ＰＰ５００「SuperBulk」のようなフッ素樹脂、発泡フッ化エチレンプロピレン樹脂（ＦＥＰ）または発泡ポリ塩化ビニル（ＰＶＣ）を含み得る。プレナム認定ケーブルについては、フィラーは難燃性および／または煙を減少する性質または添加剤を備えた材料を含み得る。フィラーはまた、これらに限定されるものではないが、ポリオレフィンまたはガラス繊維のフィラー、導電性材料、または導電性被覆またはフィリングを備えた誘電体のような部分的に導電性の材料などの、体積充填材料を含む他のさまざまな材料から構成されてもよい。任意のシールド２１８を含むシールドツイストペアケーブルにおいては、フィラー２１４を導電性のまたは部分的に導電性の材料から形成することが特に有利であろう。さらに、外側ジャケット２２２は、たとえばポリ塩化ビニル（ＰＶＣ）、低煙難燃性ＰＶＣ、または任意のプレナム認定もしくは非プレナム認定熱可塑性樹脂を含む、さまざまな材料から構成されてもよい。同様に、ツイストペアは、当業者には公知である任意の好適な絶縁材料によって絶縁され得る。上述の材料の例は、単に一例として示され、この発明はこれらの材料の使用に限定されないことを認識されたい。
【００６０】
別の実施例に従うと、図１５に示すように、フィラー２１４はベース部分２３２において内部チャネル２３０を規定するよう構成され得る。内部チャネル２３０は、これらに限定されるものではないが以下を含むいくつもの機能および目的を果たす。たとえば、内部チャネルは中空であることにより（または空気で満たされることにより）フィラーを形成する材料の量を減らす。これは、フィラーのコストを減少し、かつ、コアをなす可燃性であるかまたは煙を発生させる可能性のある材料が内部チャネルの存在により減じられるので、プレナム認定用途におけるケーブルの使用を促進する点で、有利であろう。フィラーのために用いられる材料の量を減少することは、ケーブルの重量を減少し、かつ／またはケーブルの柔軟性を向上させる。内部チャネルはまた、ツイストペア２１２間に制御されたまたは予め定められたエアギャップをももたらすが、これはケーブルの性能パラメータを向上させる。さらに、内部チャネルは、データまたは電力を伝送し得る光ファイバまたは同軸ケーブルのような、１つ以上のさらなる送信媒体を担持し得る。いくつかの例にお
いては、内部チャネル内にドレイン線または強化部材を任意で配置し得る。内部チャネルは図示されるように円形であることに限定されず、フィラーのベース部分の中央に配置されなくてもよいことを認識されたい。
【００６１】
図１６を参照して、この発明の局面に従ったフィラーを含むケーブルの別の実施例が示される。上述のように、ケーブル２１０は成形フィラー２１４を中心として配置される複数の絶縁導体のツイストペア２１２を含み得る。フィラー２１４は、本体部分２３４と複数の歯２３６とを含み、その複数の歯２３６は、中にツイストペア２１２が個々に配置される、対応の複数のチャネル２２４を規定する。この実施例においては、歯２３６は点線２３８によって図示される、ツイストペア２１２によって占められる空間の外径以上である距離だけ、本体部分２３４から遠ざかって延在するように構成される。さらに、各歯２３６は、図１６に示されるように隣接する歯のフランジ部分に向かって延在するフランジ部分２４０を含み、それにより各チャネル２２４の開口部を狭める。
【００６２】
一実施例においては、チャネル２２４の開口部２４４は、ツイストペア２１２によって占められる円形空間の直径２４６よりもわずかに小さくなるように歯２３６のフランジ部分２４０によって狭められ得る。フィラー２１４の材料は、ツイストペアが「スナップ留め」されるかまたはチャネル２２４内に押込められるように、わずかに柔軟性を有し得る。ツイストペア２１２はこうしてそれぞれのチャネル２２４内にしっかりと保持され、ケーブルが取扱われた場合（たとえば設置または終端処理の間）にチャネルから容易には抜け落ち得ない。この実施例は、ツイストペアが、制御された互いからの間隔で予め定められた構成においてしっかりと保持されるというさらなる利点を提供することができ、これがケーブルのインピーダンス均一性を向上させる。一実施例においては、フィラー２１４は上述のように内部開口部２３０を有し得る。
【００６３】
別の実施例に従うと、成形フィラーは、ケーブルコアがケーブル化されてジャケット２１６がケーブルコアの上に付与された場合に、フィラー２１４がジャケットの外周を非均一に、たとえば円形ではなくさせるように構成される。この効果は、フィラーの本体部分２２０の形状および歯２２２の場所を制御することにより達成され得る。ジャケット２１６についての非均一な外周は、多数のケーブルの整列された積層を回避するという点で有利であり、これは隣接するまたは近傍のケーブル内のツイストペア間の外来漏話を減少する役割を果たし得る。さらに、ケーブルがその長手軸を中心として螺旋状に撚られる場合（これはツイストペアとセパレータとが一緒にケーブル化されてジャケットを付与されるケーブル化工程の一部として生じる）、本体部分はケーブルの長さに沿ってケーブルの円周の周りに螺旋状壁またはバリアを形成する。換言すれば、上述のフィラーの実施例が導体のツイストペアおよびジャケットとケーブル化される場合、フィラー（２２０、２３２、２３４）のより多くの本体部分が、ケーブルの長さに沿って、隣接するケーブルとの外来漏話に対する螺旋状のバリアを形成するより大きな部分をもたらす。こうして、このフィラーのこれらの実施例もまた、この発明のここで説明された他のものと同様に減少された外来漏話影響をもたらすことを認識されたい。また、そのような実施例のためのジャケットは、ここに引用により援用される共通に所有される米国特許第７，１３５，６４１号において開示されるもののような、ジャケットの内周表面から離れるよう延在する複数の突起を備えて形成されてもよいことをも認識されたい。当該米国特許第７，１３５，６４１号においては、複数の突起は、複数の絶縁導体のツイストペアをジャケットの内周表面から離れたままにさせ、ここに説明されるセパレータの実施例と同様の目的を果たす。
【００６４】
この発明の別の実施例に従うと、公知のものであるかこの発明に従うものであるかに拘らず、ここで説明されたケーブルのいずれにも、ケーブルの円周を中心として１つの反対螺旋状（contra helically）に巻かれるロッドを設けることが可能である（図示せず）。ロッドは、ＵＴＰケーブルについては、ＵＴＰケーブルのコアの周りに巻かれる何らかの
誘電体であってもよい（ケーブルがシールドを含むのであれば金属製であってもよい）。コアの傍に、コアが、導体のツイストペアと、セパレータがケーブルの中に設けられる場合には何らかのセパレータと、ツイストペアと何らかのセパレータとを一緒に保持するための任意のバインダとを含むことがわかる。少なくとも１つの誘電体ロッドは、たとえば時計回り方向にコアの周りに螺旋状に巻かれて、ケーブルのコアとジャケットとの間にバリアを提供する。この発明の実施例の利点は、ロッドが、たとえばジャケットから生じる信号減衰影響の減少を促進し、かつここで説明された原理に基づいて外来漏話の減少を促進することであることを認識されたい。この実施例に従うと、ケーブル（コア、ロッド、ジャケットなど）は、ロッドの螺旋状巻きとは反対方向にケーブル化される。たとえば、時計回り方向に巻かれたロッドについては反時計回り方向にケーブル化される。ロッドの撚りとケーブルの撚り目とが反対方向なので、ロッドは「反対螺旋状」に巻かれる。
【００６５】
この実施例の変形例を提供することが可能であって、多数のロッドを反対方向で適用しても、たとえばクロスハッチパターンで適用してもよいことを認識されたい。また、少なくとも１つのロッドを、たとえば約０．５インチから約３０インチの範囲にわたって変動する撚り目で適用してもよいことを認識されたい。また、ある局面に従うと、ロッドはケーブルのコアに固定されてもよいことを認識されたい。さらに、ジャケットは、ここに引用により援用する共通に所有される米国特許第７，１３５，６４１号において開示されるように、ジャケットの内周表面から離れるよう延在する複数の突起を備えて形成されてもよいことを認識されたい。当該米国特許第７，１３５，６４１号においては、複数の突起は、ジャケットのコアを、ジャケットの内周表面から離れたままにさせ、反対螺旋状に巻かれたロッドと同様の目的を果たす。さらに、この発明のある局面に従うと、この「反対螺旋状」に巻かれるケーブルは、１操作で、換言すれば同時に、製造されてもよいことをも認識されたい。たとえば、誘電体ロッドを押出すためのアプリケータは、ケーブル化操作の間にケーブルの撚り目の反対方向に回転されるように構成され得る。
【００６６】
この発明の別の実施例に従うと、公知のものであるかこの発明に従うものであるかに拘らず、ここで説明されたケーブルのいずれにも、ケーブルの円周を中心として１つの螺旋状に巻かれる（ケーブルが撚られる方向と同じ方向に巻かれる）ロッドを設けることが可能である（図示せず）。ロッドは、ＵＴＰケーブルについては、ＵＴＰケーブルのコアの周りに巻かれる何らかの誘電体であってもよい（ケーブルがシールドを含むのであれば金属製であってもよい）。コアの傍に、この実施例においても、コアが、導体のツイストペアと、セパレータがケーブルの中に設けられる場合には何らかのセパレータと、ツイストペアと何らかのセパレータとを一緒に保持するための任意のバインダとを含むことがわかる。少なくとも１つの誘電体ロッドは、たとえば時計回り方向にコアの周りに螺旋状に巻かれて、ケーブルのコアとジャケットとの間にバリアを提供する。この発明の実施例の利点もまた、ロッドが、たとえばジャケットから生じる信号減衰影響の減少を促進し、かつここで説明された原理に基づいて外来漏話の減少を促進することであることを認識されたい。この実施例について、ケーブル（コア、ロッド、ジャケットなど）はロッドの螺旋状巻きと同じ方向にケーブル化される。
【００６７】
少なくとも１つのロッドを、たとえば約０．５インチから約３０インチの範囲にわたって変動する撚り目で適用してもよいことを認識されたい。また、ある局面に従うと、ロッドはケーブルのコアに固定されてもよいことを認識されたい。さらに、ジャケットは、ここに引用により援用する共通に所有される米国特許第７，１３５，６４１号において開示されるように、ジャケットの内周表面から離れるよう延在する複数の突起を備えて形成されてもよいことを認識されたい。当該米国特許第７，１３５，６４１号においては、複数の突起は、ケーブルの複数のコアを、ジャケットの内周表面から離れたままにさせ、螺旋状に巻かれたロッドと同様の目的を果たす。さらに、この発明のある局面に従うと、この「螺旋状」に巻かれるケーブルは、１操作で、換言すれば同時に、製造されてもよいこと
をも認識されたい。たとえば、誘電体ロッドを押出すためのアプリケータは、ケーブル化操作の間にケーブルの撚り目方向に回転されるように構成され得る。ある局面に従うと、コアを中心としたロッドの「撚り目」は、ケーブルの撚り目と実質的に一致するよう構成されてもよい。これに代えて、別の局面に従うと、アプリケータは、ケーブル化操作の間にケーブルの撚り目方向にケーブルコアよりも速く回転して、ケーブルより目よりも短いロッド巻き長さまたは撚り目を抵抗するよう構成されてもよい。
【００６８】
この発明の別の実施例に従うと、公知のまたはこの発明に従ったここに説明されるケーブルのいずれも、ジャケット内でうねりを有するコアとして提供され得る。図１７は、ツイストペアケーブルのうねりを有するコアの実施例を押出すための装置を示す。コアの傍に、この実施例においても、コアが、導体のツイストペアと、セパレータがケーブルの中に設けられる場合には何らかのセパレータと、ツイストペアと何らかのセパレータとを一緒に保持するための任意のバインダとを含むことがわかる。この実施例に従うと、ケーブルコアはジャケット内でうねり（中心をばらつかせて）、ケーブルおよびケーブルコアの円周の周りにばらついた壁厚さを有するケーブルジャケットを提供する。ケーブルコアは、図１７に示されるように回転する先端部に供給され、この先端部は偏心して回転するように設けられる。コアが回転するとともに、図１７に示されるダイを通してジャケットがこの先端部上に押出される。一実施例に従うと、先端部（またはガイド）の外側はダイ内で中心決めされ、回転する先端部はケーブルコアをジャケット内で偏心させる。この実施例の利点もまた、うねりを有するコアがここで説明された原理に基づいて外来漏話の減少を促進することであることが認識されるであろう。この実施例については、ケーブル（コア、ジャケット）がコアの螺旋回転と同じ方向にケーブル化されることがわかる。先端部が、よってケーブルのコアが、さまざまな頻度の回転で回転され得ることを理解されたい。さらに、ジャケットは、ここに引用により援用する共通に所有される米国特許第７，１３５，６４１号において開示されるように、ジャケットの内周表面から離れるよう延在する複数の突起を備えて形成されてもよいことが認識されるであろう。当該米国特許第７，１３５，６４１号においては、複数の突起は、コアをジャケットの内周表面から離れたままにさせ、うねりを有するコアと同様の目的を果たす。
【００６９】
この発明の別の実施例に従うと、公知のまたはこの発明に従ったここに説明されるケーブルのいずれも、ジャケット内でうねりを有するコアとして提供され得る（図示せず）。コアの傍に、この実施例においても、コアが、導体のツイストペアと、セパレータがケーブルの中に設けられる場合には何らかのセパレータと、ツイストペアと何らかのセパレータとを一緒に保持するための任意のバインダとを含むことがわかる。この実施例に従うと、コアに対し揺らぎのある壁緊張度を有するジャケットが、ケーブルの長さに沿って設けられる。ジャケットは好ましくは実質的に同じ厚さを有し、ジャケットが、コアとの接触状態からコアから離れる状態に移動するように設けられる。このジャケットは、ジャケットの外周の寸法は変化するがジャケットの厚さは実質的に同一のままであるように、ある領域（ケーブルに沿った長さ方向）においてはコアをきつく保持する一方、他の領域においては、コアをあまりきつく締付けないように形成の間に比較的緩く保持されるように、ジャケット押出しの間に設けられ得る。ある実施例においては、揺らぎの頻度はランダムであって、それにより構造的な反射減衰量および減衰の問題を生じさせるおそれのある周期性を減じる。さらに、ジャケットは、ここに引用により援用される共通に所有される米国特許第７，１３５，６４１号において開示されるように、ジャケットの内周表面から離れるよう延在する複数の突起を備えて形成されてもよいことを認識されたい。当該米国特許第７，１３５，６４１号においては、複数の突起は、コアをジャケットの内周表面から離れたままにさせ、揺らぎのあるジャケットの緊張度と同様の目的を果たす。
【図面の簡単な説明】
【００７０】
【図１】骨型ケーブルジャケットを有する先行技術のケーブルの断面図である。
【図２】セパレータを含む先行技術のツイストペアケーブルの断面図である。
【図３】互いに隣接する２つの先行技術のツイストペアケーブルの断面図である。
【図４】この発明の局面に従ったセパレータを含むツイストペアケーブルの断面図である。
【図５】この発明の局面に従った２つの隣接するケーブルの図である。
【図６】この発明の局面に従ったセパレータを含むツイストペアケーブルの別の実施例の断面図である。
【図７】この発明の局面に従ったセパレータを含むツイストペアケーブルの別の実施例の断面図である。
【図８】この発明の局面に従ったセパレータを含むツイストペアケーブルの別の実施例の断面図である。
【図９】この発明の局面に従ったセパレータを含むツイストペアケーブルの別の実施例の断面図である。
【図１０】この発明の局面に従ったセパレータを含むツイストペアケーブルの別の実施例の断面図である。
【図１１】この発明の局面に従ったセパレータを含むツイストペアケーブルの別の実施例の断面図である。
【図１２】この発明の局面に従った、セパレータを含み、かつ長さに沿って一緒に配置される２つのツイストペアケーブルの一実施例の図である。
【図１３】この発明の局面に従った、セパレータを含み、かつ長さに沿って一緒に配置される２つのツイストペアケーブルの一実施例の図であって、ケーブルの入れ子態様を例示する図である。
【図１４】この発明の一実施例に従ったフィラーの一実施例を含むケーブルコアの断面図である。
【図１５】この発明の局面に従った、内部チャネルを有するフィラーを含む別のケーブルの断面図である。
【図１６】この発明の局面に従ったフィラーを含むケーブルコアの別の実施例の断面図である。
【図１７】この発明の局面に従ったツイストペアケーブルのうねりを有するコアの実施例を示す図である。
【図１】
2009518816.tif 000005
【図２】
2009518816.tif 000006
【図３】
2009518816.tif 000007
【図４】
2009518816.tif 000008
【図５】
2009518816.tif 000009
【図６】
2009518816.tif 000010
【図７】
2009518816.tif 000011
【図８】
2009518816.tif 000012
【図９】
2009518816.tif 000013
【図１０】
2009518816.tif 000014
【図１１】
2009518816.tif 000015
【図１２】
2009518816.tif 000016
【図１３】
2009518816.tif 000017
【図１４】
2009518816.tif 000018
【図１５】
2009518816.tif 000019
【図１６】
2009518816.tif 000020
【図１７】
2009518816.tif 000021
【手続補正書】
【提出日】平成19年10月8日(2007.10.8)
【手続補正１】
【補正対象書類名】特許請求の範囲
【補正対象項目名】全文
【補正方法】変更
【補正の内容】
【特許請求の範囲】
【請求項１】
第１の絶縁導体のツイストペアと、
第２の絶縁導体のツイストペアと、
第１のツイストペアを第２のツイストペアから分離するよう位置決めされるセパレータと、
第１および第２のツイストペアならびにセパレータを中心として配置されるジャケットとを含み、
セパレータは、中心アームと中心アームの一端に位置決めされて、ジャケットの外向き突出部を形成するように第１の絶縁導体のツイストペアの周りに少なくとも部分的に位置決めされる、少なくとも１つの拡大部分とを含む、ケーブル。
【請求項２】
第１および第２の絶縁導体のツイストペアならびにセパレータは、ケーブルのコアを含み、ジャケットは、ジャケットの内周表面から遠ざかって延在する複数の突起を設けられ、複数の突起は、コアを、ジャケットの内周表面から離れたままにさせるよう構成される、請求項１に記載のケーブル。
【請求項３】
第３の絶縁導体のツイストペアと、
第４の絶縁導体のツイストペアとをさらに含み、
セパレータは、第１および第３のツイストペアを第２および第４のツイストペアから分離し、第１のツイストペアは、第１、第２、第３および第４のツイストペアのうち最も短い撚り目を有し、少なくとも１つの拡大部分は、第１の絶縁導体のツイストペアの周りに少なくとも部分的に配置される、請求項１に記載のケーブル。
【請求項４】
少なくとも１つの拡大部分は、セパレータの中心アームの中央から第１の導体のツイストペアの中心を通って引抜かれる線が拡大部分と実質的に交差するように、第１の絶縁導体のツイストペアの周りに巻きつく、請求項３に記載のケーブル。
【請求項５】
少なくとも１つの拡大部分は横長の形状を有する、請求項１に記載のケーブル。
【請求項６】
セパレータは、中心アームに結合される第２のアームをさらに含む、請求項１に記載のケーブル。
【請求項７】
第３の絶縁導体のツイストペアと、
第４の絶縁導体のツイストペアとをさらに含み、
第２のアームは、第３のツイストペアを第１のツイストペアから分離し、第４のツイストペアを第２のツイストペアから分離するよう構成される、請求項６に記載のケーブル。
【請求項８】
第３の絶縁導体のツイストペアと、
第４の絶縁導体のツイストペアとをさらに含み、
セパレータは、第１および第３のツイストペアを第２および第４のツイストペアから分離し、第１のツイストペアと、第２のツイストペアと、第３のツイストペアと、第４のツイストペアと、セパレータとは、ケーブルのコアをなし、コアは誘電体ロッドで螺旋状に巻かれる、請求項１に記載のケーブル。
【請求項９】
誘電体ロッドは、ケーブルが撚られる方向と同じ方向でコアを中心として巻かれる、請求項８に記載のケーブル。
【請求項１０】
誘電体ロッドは、ケーブルが撚られる方向と反対の方向でコアを中心として巻かれる、請求項８に記載のケーブル。
【請求項１１】
第３の絶縁導体のツイストペアと、
第４の絶縁導体のツイストペアとをさらに含み、
セパレータは、第１および第３のツイストペアを第２および第４のツイストペアから分離し、第１のツイストペアと、第２のツイストペアと、第３のツイストペアと、第４のツイストペアと、セパレータとは、ケーブルのコアをなし、コアはジャケット内のケーブルの中央を中心としてうねりを有する（oscillate）、請求項１に記載のケーブル。
【請求項１２】
コアは、ケーブルが撚られる方向と同じ方向でうねりを有する、請求項１１に記載のケーブル。
【請求項１３】
第３の絶縁導体のツイストペアと、
第４の絶縁導体のツイストペアとをさらに含み、
セパレータは、第１および第３のツイストペアを第２および第４のツイストペアから分離し、第１のツイストペアと、第２のツイストペアと、第３のツイストペアと、第４のツイストペアと、セパレータとは、ケーブルのコアをなし、ジャケットは実質的に同じ厚さおよびケーブルのコアに対するジャケットのばらつきのある緊張度で、ケーブルの長さに沿って押出される、請求項１に記載のケーブル。
【請求項１４】
ケーブルの厚さのばらつき度合いの頻度はランダムである、請求項１３に記載のケーブル。
【請求項１５】
第１の絶縁導体のツイストペアと、
第２の絶縁導体のツイストペアと、
第１のツイストペアを第２のツイストペアから分離するよう位置決めされるセパレータと、
第１および第２のツイストペアならびにセパレータを中心として配置されるジャケットとを含み、
セパレータは、中心アームと、中心アームの両端に位置決めされる対称的な拡大部分と
を含む、ケーブル。
【請求項１６】
セパレータは、中心アームの第１端部に形成される第１の丸みを帯びた拡大部分と、中心アームの第２の反対側の端部に形成された第２の丸みを帯びた拡大部分とを含み、第１および第２の丸みを帯びた拡大部分は、同様にサイズ決めされ、中心アームの中央から等距離にある、請求項１５に記載のケーブル。
【請求項１７】
セパレータは、中心アームに結合される第２のアームをさらに含む、請求項１５に記載のケーブル。
【請求項１８】
第３の絶縁導体のツイストペアと、
第４の絶縁導体のツイストペアとをさらに含み、
第２のアームは第３のツイストペアを第１のツイストペアから分離し、第４のツイストペアを第２のツイストペアから分離するよう構成される、請求項１７に記載のケーブル。
【請求項１９】
第１および第２の絶縁導体のツイストペアならびにセパレータは、ケーブルのコアを含み、ジャケットは、ジャケットの内周表面から遠ざかって延在する複数の突起を設けられ、複数の突起は、コアを、ジャケットの内周表面から離れたままにさせるよう構成される、請求項１５に記載のケーブル。
【請求項２０】
データケーブルであって、
第１のツイストペア、第２のツイストペアおよび第３のツイストペアを含む、複数の絶縁導体のツイストペアと、
本体部分と本体部分から外向きに延在する複数の歯とを含む成形フィラーとを含み、複数の歯は、中に複数の絶縁導体のツイストペアが個々に配置される複数のチャネルを規定し、前記データケーブルはさらに、
複数の絶縁導体のツイストペアと成形フィラーとをケーブルの長さに沿って取囲む外側ジャケットを含み、
成形フィラーは、本体部分が、第１のツイストペアと第２のツイストペアとの間に第１の間隔を提供し、複数の歯のうちの１つが第２のツイストペアと第３のツイストペアとの間に第２の間隔を提供するように構成され、フィラーは、第２の間隔が第１の間隔よりも小さいように構成され、
本体部分は、外来漏話の減少を促進するようケーブルの長さに沿って延在する螺旋状円周バリアを提供するよう構成される、データケーブル。
【請求項２１】
成形フィラーの本体部分は横長の形状を有する、請求項２０に記載のデータケーブル。
【請求項２２】
第１および第２の導体のツイストペアは、第１、第２および第３の導体のツイストペアのうち最も類似する撚り目長さを有する、請求項２０に記載のデータケーブル。
【請求項２３】
成形フィラーの歯は、第１、第２および第３の導体のツイストペアの外周を超えて延在する、請求項２０に記載のデータケーブル。
【請求項２４】
歯は、導体のツイストペアの直径よりも狭い、各チャネルの開口部を形成するフランジ部分を含む、請求項２３に記載のデータケーブル。
【請求項２５】
成形フィラーはチャネルを含む、請求項２０に記載のデータケーブル。
【請求項２６】
第１、第２および第３の絶縁導体のツイストペアならびに成形フィラーは、ケーブルのコアを含み、外側ジャケットは、ジャケットの内周表面から遠ざかって延在する複数の突
起を設けられ、複数の突起は、コアを、ジャケットの内周表面から離れたままにさせるよう構成される、請求項２０に記載のケーブル。
【国際調査報告】
2009518816.tif 000022
2009518816.tif 000023